(57)【要約】      （修正有）【課題】仕切り要素の調整が容易かつ正確にできる変位装置の提供。【解決手段】変位装置は、ブラケット２１に旋回可能に接続された仕切り要素を保持するように機能し、ブラケット２１は、シザー組立体支持点６を使用して固定保持される。シザー組立体支持点６は、ブラケット２１に適合され、ブラケット２１に接続することができるシザー組立体支持点６の形材本体６１を備え、シザー組立体支持点６の形材本体６１は、調整レバー６２の第１の端部要素に関節的に接続されたシザー組立体支持点６の形材本体６１の第３の形材部分を備え、調整レバー６２の第２の端部要素は、一方では、第２の支柱２２２に旋回可能に接続され、他方では、調整ボルト６３により保持され、調整ボルト６３のねじ軸部は、シザー組立体支持点６の形材本体６１の調整ボルト６３を受けるねじ付きチャネル６１３２内に回転可能に取り付けられる。【選択図】図３ａ
2010261301.tif 000002
【特許請求の範囲】
【請求項１】
シザー組立体支持点（６）を使用してシザー組立体（２２）の第１の支柱（２２１）によりスライド可能に保持され、前記シザー組立体（２２）の第２の支柱（２２２）により固定保持される仕切り要素（１１）、特に家具製品（１）又は建物エリアのガラス製又は木製の仕切り要素（１１）を有する変位装置（２）であって、前記シザー組立体支持点（６）が、前記ブラケット（２１）に適合され、前記ブラケット（２１）に接続可能な形材本体（６１）を備え、前記形材本体（６１）が、調整レバー（６２）の第１の端部要素に関節的に接続される形材部分（６１３）を備え、前記調整レバー（６２）の第２の端部要素が、一方では、前記第２の支柱（２２２）に旋回可能に接続され、他方では、調整ボルト（６３）により保持され、前記調整ボルトの前記ねじ軸部（６３２）が、前記形材本体（６１）のねじ付きチャネル（６１３２）内に回転可能に取り付けられることを特徴とする、変位装置（２）。
【請求項２】
前記ねじ付きチャネル（６１３２）が、前記シザー組立体（２２）に面する後側から前側まで前記形材本体（６１）、特に前記形材部分（６１３）を通して延び、それにより、前記調整ボルト（６３）が、前記形材本体（６１）の前記前側から操作可能であることを特徴とする、請求項１に記載の変位装置（２）。
【請求項３】
前記調整ボルト（６３）が、工具開口部（６３３）を前記前側に備え、前記工具開口部（６３３）内に工具を差し込み、前記調整ボルト（６１）を回転させることができることを特徴とする、請求項１または２に記載の変位装置（２）。
【請求項４】
前記調整ボルト（６３）が、前記調整レバー（６２）に面する端部において、前記調整レバー（６２）に設けられる収容開口部（６２２）内に係留されるボルト頭部（６３１）を備えることを特徴とする、請求項１、２、又は３のいずれか一項に記載の変位装置（２）。
【請求項５】
前記調整レバー（６２）が、前記第２の端部に取付ラグ（６２１）を備え、前記取付ラグ（６２１）を通して、前記第２の支柱（２２２）に接続された支持点ねじ（６８）が案内されることを特徴とする、請求項１〜４のいずれか一項に記載の変位装置（２）。
【請求項６】
前記取付ラグ（６２１）が細長開口部を備え、前記細長開口部に沿って、前記支持点ねじ（６８）の前記軸部を変位させることができることを特徴とする、請求項５に記載の変位装置（２）。
【請求項７】
案内ノーズ（６２４）が、前記調整レバー（６２）の回転点から最も離れた端部に設けられ、前記案内ノーズ（６２４）が、前記形材部分（６１３）の脚要素（６１３３）内に設けられた案内チャネル（６１３３１）内で案内されると共に、側方に保持されることを特徴とする、請求項１〜６のいずれか一項に記載の変位装置（２）。
【請求項８】
前記形材本体（６１）が、保持要素（６１１１、６１２１）が設けられ得るＬ字形状又はＵ字形状を備えると共に、ねじ穴（６１２２）も備え、前記ねじ穴（６１２２）内で、固定ねじ（６７）が前記ブラケット（２１）に対して回転して、前記ブラケット（２１）及び前記形材本体（６１）を相互にブロックすることを特徴とする、請求項１〜７のいずれか一項に記載の変位装置（２）。
【請求項９】
前記ブラケット（２１）が上端においてキャリッジ（４）により保持され、前記キャリッジ（４）が筐体（４１１）を有するキャリッジ本体（４１）を備え、前記筐体（４１１）内で、調整要素（４５）が、高さを変位可能なように取り付けられ、前記調整要素（４５）の上側に、支持レバー（４３）が旋回可能に保持され、支持レバー（４３）上に、連続レール（２７）により案内される２つの走行車輪（４４）が、車輪軸（４４１）により固定されることを特徴とする、請求項１〜８のいずれか一項に記載の変位装置（２）。
【請求項１０】
前記調整要素（４５）が保持バー（４５１）を備え、前記保持バー（４５１）の上側に、前記支持レバー（４３）が中心軸（４３１）により保持され、前記保持バー（４５１）の下側に保持ウェッジ（４５２）が設けられ、保持ウェッジ（４５２）のウェッジ上面が、前記キャリッジ（４）の走行方向に対して傾斜し、調整ウェッジ（４７）のウェッジ下面と協働し、前記調整ウェッジ（４７）が、前記キャリッジ本体（４１）により保持された調整ねじ（４６）により前記保持ウェッジ（４７）に対して変位可能であることを特徴とする、請求項９に記載の変位装置（２）。
【請求項１１】
前記調整ねじ（４６）がねじ軸部（４６２）を備え、前記ねじ頭部（４６１）の各端部において、前記ねじ頭部（４６１）は、支持点開口部（４１１２）内に保持され、前記支持点開口部（４１１２）が、前記筐体（４１１）の両側に、互いに対向して配置され、前記ねじ軸部（４２）が、前記調整ウェッジ（４７）のねじ付きチャネル（４７１）内に回転可能に保持されることを特徴とする、請求項１０に記載の変位装置（２）。
【請求項１２】
前記仕切り要素（１１）がヒンジ（３）の取付要素（３）、特にヒンジカップにより保持され、前記ヒンジ（３）が、レバー機構（３１、３２、３３）を介して、前記ブラケット（２１）に固定された取付部分（３０）に接続され、前記取付部分（３０）が、駆動バネ（３５）により駆動される駆動レバー（３１）の前記第１の端部要素及び調整レバー（３２）の前記第１の端部要素に関節的に接続され、前記調整レバー（３２）の前記第２の端部要素が、前記取付要素（３８）に接続された取付レバー（３３）の前記第１の端部に関節的に接続され、前記取付要素（３８）の前記第２の端部要素が、前記駆動レバー（３１）の前記第２の端部要素に接続され、前記駆動レバー（３１）が前記取付レバー（３３）を前記調整レバー（３２）に向けて押し、それにより、前記調整レバー（３２）及び前記取付レバー（３３）を接続している第３のレバーシャフト（３６３）が、前記仕切り要素（１１）が開かれるとき、前記駆動レバー（３１）に向けて押され、前記仕切り要素（１１）が閉じられるとき、前記駆動レバー（３１）から離れるように押されることを特徴とする、請求項１〜１１のいずれか一項に記載の変位装置（２）。
【請求項１３】
前記取付要素（３０）が第１の支持点本体（３０３）を備え、前記第１の支持点本体（３０３）内に、前記駆動レバー（３１）を保持するように機能する第１のレバーシャフトが取り付けられ、前記第１のレバーシャフト（３６１）上の前記第１の支持点本体（３０３）の片側又は両側に、螺旋バネとして形成される前記駆動バネ（３５）の各バネパッケージ（３５３Ａ、３５３Ｂ）が配置され、各バネパッケージ（３５３Ａ、３５３Ｂ）が、一方では、前記取付部分（３０）を押し、他方では、端部要素（３５１）又は中間要素（３５２）で前記駆動レバー（３１）に接触すること、前記取付部分（３０）が第２の支持点本体（３０４）を備えることができ、この場合、前記調整レバー（３２）を保持するように機能する第２のレバーシャフト（３６２）が保持されること、及び前記駆動レバー（３１）及び前記取付レバー（３３）が、第４のレバーシャフト（３６４）により互いに接続されることを特徴とする、請求項１２に記載の変位装置（２）。
【請求項１４】
好ましくは前記駆動レバー（３１）内に回転可能に取り付けられた止めねじ、前記止めねじ（３１）を使用して、一方では、好ましくはバネ弾性の第３のレバーシャフト（３６３）又は前記調整レバー（３２）上の止め要素（３２１）と、他方では前記駆動レバー（３１）との間の最小距離、ひいては開位置での前記仕切り要素（１１）の向きを設定可能であること、及び／又は前記取付要素（３８）が、前記取付レバー（３３）に対して変位可能であり、接続ねじ（３８１）及び好ましくは多刃ナット（３８２）により固定可能であることを特徴とする、請求項１２又は１３に記載の変位装置（２）。
【請求項１５】
前記取付レバー（３３）が、前記ヒンジカップ（３８）内に嵌り、且つ／又は前記第３の支持点シャフト（３６３）が前記駆動レバー（３１）に向けて押される位置で前記駆動レバー（３１）を受けるように機能する少なくとも部分的にＵ字形状を備え、前記第２の調整レバー（３２）の前記第２の端部要素及び前記取付レバー（３３）の前記第１の端部要素のそれぞれが、前記第３の支持点シャフト（３６３）を受けるように機能する２つの隣接する支持点本体（３２Ａ、３３Ａ、３２Ｂ、３３Ｂ）を備え、前記支持体本体（３２Ａ、３３Ａ、３２Ａ，３３Ｂ）が、前記駆動レバー（３１）を前記支持本体の間で前記第３の支持点シャフト（３６３）に向けて案内できるように互いに離間されることを特徴とする、請求項１２、１３、又は１４に記載の変位装置（２）。
【請求項１６】
変位装置（１）に接続され、家具製品（１０）を閉じるように機能する仕切り要素（１９）を、前記家具製品（１０）内部で中間スペース（１７）内に下げることができることを特徴とする、家具製品（１０）、特に請求項１〜１５のいずれか一項に記載の変位装置を有するカップボード。
【発明の詳細な説明】
【技術分野】
【０００１】
本発明は、請求項１及び１６の前文に記載の旋回可能に保持された仕切り要素の変位装置及びこの変位装置が設けられた家具製品に関する。
【背景技術】
【０００２】
家具製品を隔てる、エリアを形成する、又は家具製品を閉じるために、ガラス又は木製のパネル、扉、又はブラインドが使用されることが多い。
【０００３】
旋回可能に保持された仕切り要素は、家具製品が開かれた後、大半の場合で見た目がよくないため、家具製品が開かれた後、仕切り要素を家具製品内に提供される中間スペース内に挿入することができ、上記中間スペースを中間壁により区切ることができる、解決策が開発された。
【０００４】
（特許文献１）には、ブラケットに旋回可能に保持された扉を使用位置から扉収納部内に落とし込めるための変位装置を有する家具製品であって、少なくとも1つの側壁を備える、家具製品が開示されている。ブラケットは、シザー組立体による扉収納部内への移動中及び外側への移動中、垂直位置において保持され、シザー組立体は、互いに関節式に接続された２つの交差した支柱を備える。２つの交差した支柱のうちの一方の上端は、シザー組立体支持点においてブラケットの上側に旋回可能なように保持され、下端は、扉収納部内の案内装置において旋回可能であり、且つ垂直に変位可能なように保持される。第２の支柱の上端は、扉収納部内の係留手段において旋回可能なように保持され、下端は、ブラケットの下側に旋回可能であり、且つ垂直に変位可能なように保持される。したがって、扉を下方外側に移動させると、交差した支柱の上端は常に同じ高さのままであるが、下端は垂直に変位する。理想的な場合、交差した支柱の両端における旋回点は常に矩形を形成する。シザー組立体支持点をブラケットから解放することにより、上記ブラケットを垂直に変位させて、扉を扉収納部内のカップボードの上側及び下側から同じ距離のところに位置決めすることができる。
【０００５】
さらに、上部レール及び下部レールが（特許文献１）において設けられ、それらレールに沿って、ブラケットが案内板により案内されて、シザー組立体の回転及び引っ掛かりを回避することができる。
【０００６】
しかし、影響を及ぼす様々な要因により、ブラケットが垂直に向けられない状況が生じる恐れがある。この問題は、扉収納部内に設けられた係留手段が調整可能であり、係留手段を通して、第２のレール要素の上端が扉収納部内で旋回可能に保持されるという点で（特許文献１）において対処される。側壁の内側に設けられる係留手段は、第１及び第２のねじにより、側壁の外側に設けられる調整部分に接続され、それにより、クランプ接続が形成される。クランプ接続の解放後、係留手段及び調整部分は、静止保持された第１のねじを中心として回転でき、その一方で、第２のねじは側壁の中空空間内で変位可能である。
【０００７】
したがって、２つのねじが緩められた後、第２の交差要素の旋回点が設けられた係留手段の下側を、シザー組立体をブラケットと共に前後に傾斜させ、再び適切なポイントに固定できるように前後に変位させることができる。扉を取り付けた後、上記扉がいくらか外側に吊り下げられる場合、２つのねじが緩められ、ブラケットが扉と共に垂直に向けられるまで、係留手段及び調整部分が回転される。調整の完成後、ねじ接続が再び締められ、それにより、クランプ接続が係留手段と調整部分との間、及びそれらの間にある側壁にクランプ接続が形成される。さらに、調整部分は、それ以上回転しないように、第３のねじにより固定される。
【０００８】
したがって、この装置では、調整の際に、側壁に設けられた調整部分にアクセスする必要があり、調整部分を解放又は回転させなければならない。同時に、ブラケット及び扉が必要な程度まで実際に傾斜することが保証されるべきである。それにより、調整部分、ブラケット、及び扉を数回調整する必要があり得る。さらに、ブラケットを有する扉が、ねじを緩めた後、前方に傾斜せず、扉と共に係留手段及び調整部分を引っ張らないことが保証されるべきである。したがって、ねじを緩めた後、扉を保持し、セッティングを段階的に変更し、確認しなければならない。この結果、装置の正確な調整にかなりの資源が費やされることになる。第３のねじによるクランプ接続をそれぞれ固定することにも、資源が必要であり、第３のねじが隣接するポイントに位置決めされる調整を数回行った後であっても恐らく確実ではないことにさらに留意されたい。
【０００９】
さらに、さらなる欠点が生じる。多くの場合、扉収納部を画定する側壁には、自由に手が届かない。これは例えば、カップボードの側面が建物の壁に接触している場合である。この場合、調整を実行するためには、カップボードを前方に押さなければならない。さらに、カップボードが何物にも隣接せずに独立して配置され（stand freely）、側壁が自由に見える場合もあり得る。この場合、ねじを有する調整部分は見た目が美しくない。
【００１０】
側壁に対応するボアが設けられることにより、調整のみならずこの装置の設置にも、比較的大きな資源が関連することにさらに留意されたい。
【先行技術文献】
【特許文献】
【００１１】
【特許文献１】米国特許出願公開第５１４９１８０Ａ１号明細書
【特許文献２】欧州特許出願公開第０９０９８６４Ａ２号明細書
【特許文献３】欧州特許出願公開特許第１０４８８０９Ａ１号明細書
【特許文献４】独国特許出願公開第３９１４１０３Ａ１号明細書
【特許文献５】米国特許第６０５２８６７号明細書
【発明の概要】
【発明が解決しようとする課題】
【００１２】
したがって、本発明の目的は、旋回可能に保持された仕切り要素の改良された変位装置及び変位装置が設けられた家具製品を製作することである。
【００１３】
特に、最小の資源で正確に調整して設置可能である単純に組み立てられる変位装置が製作させるべきである。
【課題を解決するための手段】
【００１４】
この目的は、請求項１及び１６のそれぞれにおいて定義される特徴を有する変位装置及びこの変位装置が設けられた家具製品を使用して達成される。本発明の有利な実施形態、特に、有利に設計されるキャリッジ及び有利に設計されるヒンジが、さらなる請求項において定義される。
【００１５】
変位装置は、ブラケットに旋回可能に接続された仕切り要素を保持するように機能し、ブラケットは、シザー組立体の第１の支柱によりスライド可能に保持されると共に、シザー組立体支持点によりシザー組立体の第２の支柱によりしっかりと保持される。
【００１６】
本発明によれば、シザー組立体支持点は、ブラケットに適合され、ブラケットに接続することができる形材本体を備える。上記形材本体は、関節的に調整レバーの第１の端部要素に接続される形材部分を備え、調整レバーの第２の端部要素は、一方では、第２の支柱に旋回可能に接続され、他方では、調整ボルトにより保持され、調整レバーのねじ軸部は、形材本体のねじ付きチャネル内に回転可能に取り付けられる。
【００１７】
調整ボルトを回転させることにより、ブラケットに保持されるシザー組立体支持点と第２の支柱との距離、ひいてはブラケットの傾斜を選択的に調整することができる。第２の支柱に接続されたシザー組立体支持点は、好ましくは、ブラケットの上側に固定され、その一方で、第１の支柱は、ブラケットの下側でスライド可能に案内される。使用者は、仕切り要素が下方に傾斜することを確立した場合、シザー組立体支持点、ひいてはブラケットの上側と関連する第２の支柱の関連する端部要素との距離を低減することができる。変位装置が家具製品に取り付けられ、仕切り要素を扉収納部内に下ろすことができる限り、仕切り要素を完全に引き出し、調整ボルトにアクセスして、必要な調整を実行することができる。
【００１８】
したがって、調整をブラケットに直接行うことができ、（特許文献１）の主旨では必要なような、離れたところにあるシザー組立体の端部において調整を実行する必要がない。それにより、クランプ装置を緩め、そして調整要素後に再び締める必要がない。調整プロセス中、仕切り要素を保持する必要がなく、負荷下で調整することができる。したがって、調整は、負荷下でミリメートル精度で最小の資源で行われる。調整プロセスの完了後、負荷変更が行われない場合、続く調整は必要ない。
【００１９】
好ましい実施形態では、調整ボルトを受けるように機能するねじ付きチャネルが、シザー組立体を面する後側から前側まで、形材本体を通って延び、好ましくは、調整レバーに接続された形材部分を通って延びる。したがって、調整ボルトを形材本体の前側から見つけて、操作することができる。
【００２０】
この接続では、好ましくは、調整ボルトは、工具を差し込むことができる工具開口部、例えば、六角形ソケットを前側に備える。この好ましい実施形態では、例えば、六角形キーを使用して調整ねじを見つけて回転させることができる。
【００２１】
好ましくは、調整ボルトが、調整レバー内に設けられる収容開口部内に回転可能に保持されるボルトヘッドを調整レバーに面する端部に備えることが提供される。この実施形態では、調整ボルトは、調整レバーを一方的に押すのではなく、調整レバーを固定保持して、使用者が望む位置に向けて前後に案内する。
【００２２】
さらなる好ましい実施形態では、調整レバーは、取付ラグを第２の端部要素に備え、取付ラグを通して、第２の支柱に接続された支持点ねじが案内される。
【００２３】
取付ラグは、好ましくは、支持点ねじの軸部を調整プロセス中に配置できる細長開口部を備える。このようにして、支持点ねじの軸部は、取付ラグ内でそれ自体の位置を変更することができ、それにより、ブロックが回避される。
【００２４】
好ましくは、調整レバーの回転点から最も離れた端部に、案内チャネル内で案内される案内ノーズが設けられ、案内チャネルは形材部分の端部要素内に設けられる。このようにして、調整レバーが一平面でのみ回転可能なことが保証される。
【００２５】
シザー組立体支持点の形材本体は、好ましくは、保持爪及び保持ストリップ等の保持要素がオプションとして設けられると共に、ねじ穴を備えたＬ字形状又はＵ字形状を備え、ねじ穴には、固定ねじをブラケットに対して回して、ブラケット及び形材本体を相互にブロックすることができる。固定ねじを緩めることにより、シザー組立体支持点をブラケットから解放することができ、その後、通常は複数のヒンジにより仕切り要素に接続されたブラケットを垂直に変位させることができる。
【００２６】
したがって、上記手段を使用して、仕切り要素の高さ及び傾斜を最も単純な手段で正確に調整することが可能である。
【００２７】
特に、重量のある仕切り要素が使用される場合、好ましくは、シザー組立体は負荷軽減される。このために、本発明によれば、走行車輪を有するキャリッジはブラケットの上端に取り付けられ、走行車輪は連続レール上で案内される。したがって、仕切り要素の重量はキャリッジにより運ばれ、その一方で、残りのトルクは実質的に負荷軽減されたシザー組立体により吸収される。
【００２８】
この場合でも、キャリッジにより保持されるブラケットの高さの正確なセッティングが極めて重要である。変位装置の最適な機能は、実際には、すべての要素が互いに瑕疵なく調整された場合のみ保証される。したがって、最も重要なのは、ブラケットの高さを、単純な手段でブラケットに垂直に延びる連続レールに関連して正確に設定できることである。それにより、単純且つ正確に調整することを実際に不可能にするキャリッジをブラケットから解放して変位しなければならないことが回避される。
【００２９】
したがって、好ましい実施形態では、キャリッジの本体は筐体を備え、筐体内に、調整要素が、高さを変位可能なように取り付けられる。調整要素の上側に、好ましくは、支持レバーが回転可能に保持され、支持レバー上に、２つの走行車輪が車輪軸により固定される。回転可能な支持レバーを使用することにより、負荷が両方の走行車輪上に最適に分散される。したがって、連続レールに対する受け形材の傾斜に関わりなく、キャリッジはその役目を常に最適に実行する。一方の走行車輪への不釣り合いな荷重は、早期の摩耗に繋がり得る。
【００３０】
調整要素は、好ましくは、保持バーを備え、保持バーの上側には、支持レバーが中心軸により回転可能に保持され、保持バーの下側には、保持ウェッジが設けられる。保持ウェッジのウェッジ上面は、キャリッジの走行方向に対して傾斜し、調整ウェッジのウェッジ下面と協働し、調整ウェッジは、キャリッジ本体により保持された調整ねじにより、保持ウェッジに対して変位可能である。したがって、調整ウェッジの変位により、保持ウェッジが上方又は下方に変位される。調整ねじは通常、キャリッジの走行方向に平行にキャリッジ筐体内に取り付けられる。
【００３１】
好ましくは、ねじ軸部が設けられた調整ねじが使用され、調整ねじは各端部にねじ頭部を有し、上記ねじ頭部は、キャリッジ筐体の支持点開口部内で変位可能ではないが、回転可能なように保持される。支持点開口部は、互いに対向するキャリッジ筐体の２面に設けられ、したがって、調整ねじはキャリッジ筐体を通して完全に延びる。調整ねじのねじ軸部は調整ウェッジのねじ付きチャネル内に保持され、したがって、調整ウェッジは、上記調整ねじに沿って調整ねじの各回転に伴って変位される。したがって、調整ねじへのアクセスは、キャリッジ筐体の両側から可能である。そして、前側からの調整が可能である。シザー組立体支持点の調整ボルト及びキャリッジの調整ねじは、同じ工具を使用して操作することができる。
【００３２】
本発明によるキャリッジは、本明細書において説明する変位装置において特に有利に使用することができる。キャリッジに直接吊り下げられるスライド式扉又はスライド式シャッタ等のさらなる仕切り要素の場合、同様の問題が生じ、これらは本発明によるキャリッジで解決することができる。したがって、このキャリッジの使用は本発明に限定され、任意の仕切り要素と併用することができる。
【００３３】
本発明による変位装置では、仕切り要素は、少なくとも１つのヒンジによりブラケットに接続される。家具の扉のヒンジは多くの公開広報から既知である。
【００３４】
（特許文献２）には、家具の扉に設けられるヒンジが開示され、上記ヒンジはヒンジアームを有し、ヒンジアームは外部及び内部の関節式レバーによりヒンジカップに接続され、レバーは４つの関節軸と一緒に４バーリンケージを形成する。関節式レバーの１つは、各アームがヒンジのアーム内を自由に指す２アームレバーとして形成され、ヒンジアーム内を自由に指すアームは、ヒンジアーム内に取り付けられたバネにより影響されると共に、関節軸に垂直な向きを有する２つのサイドウェブを備える。それにより、バネが、関節式レバーのアームのサイドウェブ間に保持され、ヒンジアーム内に自由に突出する好ましくは円柱形の金属ピンを押す。
【００３５】
関節式レバーよりも実質的に高品質且つ高耐摩耗性の材料からなる金属ピンの使用を通して、ヒンジの寿命を、バネが関節式レバーを直接擦るヒンジの寿命と比較してかなり増大させることができる。
【００３６】
（特許文献３）には、板バネが、関節式レバー上に配置された、例えば、プラスチック製のブロックに対して作用するヒンジが開示されている。プラスチックブロックの使用を通して、関節式レバーと板バネとの間の摩擦を低減することを目的とする。
【００３７】
（特許文献４）には、バネが関節式レバー上の単一アームレバーを介して作用する解決策が記載されている。この解決策では、バネは保護された状態のままであり、摩擦は単一アームレバーと関節式レバーとの間で発生する。
【００３８】
したがって、装置部分間の相互摩擦は、ヒンジの多少なりとも早期の摩耗に繋がる。追加の部分、例えば、上述した金属ピン、プラスチックブロック、又は単一アームレバーを使用しても、結果として摩耗の低減のみならず、より大きな資源及びスペース要件にも繋がる。
【００３９】
さらなる欠点は、上述した装置部分間の摩擦が力を吸収し、この吸収された力はもはやヒンジの動作に利用できないことである。
【００４０】
さらに、ヒンジに接続された仕切り要素に対するバネの力の影響は比較的低いため、仕切り要素を開閉する機能は、バネの力により殆どサポートされないか、部分的にのみサポートされるか、又は全くサポートされない。通常、仕切り要素の一位置に仕切り要素を保持するだけである。（特許文献４）の主旨では、比較的低い閉モーメントが生じるのは、仕切り要素の閉位置においてのみである。
【００４１】
さらに、衝突に起因するノイズは、ヒンジ内の摩擦を原因とする。
【００４２】
さらに、バネは、（特許文献２）、（特許文献３）、（特許文献４）のヒンジでは比較的大量のスペースを占めるため、スペースは本来、供給不足である。
【００４３】
（特許文献２）、（特許文献３）、（特許文献４）の装置のさらなる欠点は、仕切り要素が開いているときに、ヒンジ位置を調整できないことである。したがって、開位置では、仕切り要素は、家具及び内部に設けられ得る扉収納部に対して垂直な向きではない。これは、一方では、不利な美的印象に繋がり、他方では、仕切り要素が扉収納部の側壁に接触して停止し、それにより、衝突に起因するノイズ及び摩耗の外傷が生じる恐れがある。
【００４４】
したがって、本発明の目的は、既知のヒンジを改良すること、及び上述した欠点を解消することである。特に、ヒンジ自体及びヒンジに接続された部分への摩耗の発生を回避可能なヒンジが作成されるべきである。特に、ヒンジの装置部分間の摩擦及びそれら装置部分の摩耗が回避されるべきである。さらに、ヒンジに起因するノイズが回避、又は大幅に低減されるべきである。
【００４５】
さらに、より強力なバネ要素を使用することが可能であり、その力を最適に、関連する関節式レバーに伝達することができる。上記バネ要素は同時に、必要とするスペースが殆どない。
【００４６】
レバー機構は、好ましくは、両端部位置におけるレバー機構及びバネ要素を通して、強い機能モーメントが仕切り要素に対して及ぼされ、それにより、仕切り要素が独立して各端部位置に案内されるように設計されるべきである。
【００４７】
それにより、ヒンジは、スペースを節減するように構築すべきであり、且つガラスパネル又は木製パネル等の任意の仕切り要素に取り付け可能であるべきである。
【００４８】
この目的は、請求項１２〜１５において定義されるヒンジを使用して達成される。
【００４９】
ヒンジは、仕切り要素に接続することができる取付要素を備え、上記取付要素は、特に、ヒンジカップであり、レバー機構により取付部分に接続され、ブラケットに固定することができる。上記取付部分は、間接的に、駆動バネにより駆動される駆動レバーの第１の端部要素及び調整レバーの第１の端部要素に接続される。
【００５０】
本発明によれば、調整レバーの第２の端部要素は、取付要素に接続されるか、又は接続要素であり得る取付レバーの第１の端部要素に関節式に接続される。上記取付レバーの第２の端部要素は、駆動レバーの第２の端部要素に接続され、駆動レバーは、調整レバーに対して取付レバーを押し、それにより、仕切り要素が開かれたときに、調整レバー及び取付レバーを接続する第３の第３のレバーシャフトが駆動レバーに向けて押され、仕切り要素が閉じられたときに、駆動レバーから離れるように押される。
【００５１】
ヒンジの端部位置は、そこに接続された調整レバー又は取付レバーの第３のレバーシャフト又は部分が、駆動レバーに接触して停止したとき、開かれた仕切り要素に到達する。ヒンジの端部位置は、遅くとも取付要素、恐らくはヒンジカップが駆動レバーに接触したときに、閉じられた仕切り要素に到達する。したがって、調整レバー及び取付レバーは、接続点において膝継手を形成し、この膝継手は、位置に応じて、一方向又は他方の方向に駆動レバーにより押される。調整レバー及び取付レバーの回転軸が正確に一平面内にある位置において、調整レバー及び取付レバーが互いに向けて押される。仕切り要素が一方向又は他方の方向に最小限回転するとすぐに、膝継手も同様に、対応する方向に案内されて折り畳まれ、それにより、仕切り要素は、仕切り要素が開くか、又は閉じる端部位置のストップまで自動的に移動する。
【００５２】
駆動レバーに対する駆動バネの最適な作用により、かなりの力が仕切り要素に及ぼされ、それにより、仕切り要素を開閉する関連プロセスが、実質的に自動的に実行される。それにより、駆動バネは、駆動レバーの同じポイントに対して略一定の力で作用するため、略一定の加速度が旋回範囲全体にわたって生じ、部分間のいかなる摩擦も回避される。それに対応して、摩耗及びノイズの発生も回避される。さらに、補助要素が必要ない。好ましくは、駆動バネが使用され、駆動バネは、螺旋バネの形態で提示される少なくとも１つのバネパッケージを備え、バネパッケージは、第１のレバーシャフトにより駆動レバーの関連する端部要素と一緒に保持される。したがって、駆動バネの端部要素及び／又は中間要素は、同じ軸を中心として駆動レバーと共に回転する。したがって、駆動レバーの関連する端部要素及び駆動バネの１つ又は複数のバネパッケージは、互いの側に配置することができ、それにより、小さな円柱形スペース量しか占有しない。
【００５３】
このため、好ましくは、取付部分は第１の支持点本体を備え、支持点本体内では、第１のレバーシャフトが駆動シャフトを保持するように機能し、駆動バネが取り付けられる。第１の支持点本体の片側又は両側には、螺旋バネとして形成される駆動バネの各バネパッケージが配置され、駆動バネは、一方では、取付部分を押し、他方では、端部要素又は中間要素で駆動レバーを押す。
【００５４】
調整レバーも同様に、第１のレバーシャフトにより保持し得る。しかし、取付部分は、好ましくは、調整レバーを保持する第２のレバーシャフトが取り付けられた少なくとも１つの第２の支持点本体を備える。
【００５５】
さらに、駆動レバー及び取付レバーの第２の端部要素は、第４のレバーシャフトにより互いに接続される。
【００５６】
したがって、駆動バネにより駆動されるレバー機構により、本質的に摩擦のないように大きな力が生じる。
【００５７】
駆動バネは、例えば、バネパッケージ１０毎に、巻線を備えることができ、ワイヤの直径は、例えば０．５ｍｍ〜２ｍｍである。それにより、巻線の数及びワイヤの直径は扉要素の負荷に適合される。本発明によるヒンジ構造を使用して、実際に、スペース要件を大きく増大させずに、バネ力を所望のように増大させることができることは興味深い。さらに、駆動バネのバネ経路／対応する端部要素又は中間要素の回転角度が非常に大きく、それにより、駆動バネが実際に高い力の作用をヒンジの全移動範囲にわたって常に供給することは特に有利である。
【００５８】
上述したように、仕切り要素が開かれているとき、第３のレバーシャフトは、第３のレバーシャフト又は調整レバーもしくは取付レバーの部分が駆動レバーに接触して止まるまで、駆動レバーに向かって案内される。したがって、好ましい実施形態では、止め要素が設けられ、止め要素は、駆動レバーまでの第３のレバーシャフトの最小距離を画定する。回転可能に取り付けられた止めねじが、好ましくは、駆動レバーに設けられ、止めねじにより、第３のレバーシャフトと駆動レバーとの最小距離、ひいては解放端位置での仕切り要素の向きを設定することができる。止めねじと協働する止め要素は、好ましくは、調整レバー上に設けられる。
【００５９】
さらなる好ましい実施形態では、ヒンジカップであり得る取付要素は、取付レバーに対して変位可能であり、接続ねじにより固定することができる。したがって、取付レバーは取付要素に固定接続することができ、又は代替として、選択された位置において取付要素に接続することができ、それにより、より高い柔軟性が達成される。したがって、単純な手段で、仕切り要素を取付ストリップに平行するように向けることができる。これは、歯を有する接続要素が取付レバー上に設けられ、歯付き工具を差し込むことができる工具溝がヒンジカップに設けられ、工具の歯が接続要素の歯と協働するという点で特に単純に達成される。例えば、接続要素に設けられた接続ねじを緩めた後、歯付き工具を回転させ、ヒンジカップを接続要素に対して選択的に変位させることができ、その後、接続ねじは再びしっかりと締められる。
【００６０】
好ましい実施形態では、駆動レバー、調整レバー、及び取付レバーの外形は、互いに少なくとも部分的に変位できるように、互いに適合される。例えば、取付レバーは、ヒンジカップ内に嵌り、且つ／又は第３の支持点シャフトが駆動レバーに向けて案内される位置において駆動レバーを受けるように機能する少なくとも部分的にＵ字形状を備える。
【００６１】
さらに好ましくは、調整レバーの第２の端部要素及び取付レバーの第１の端部のそのそれぞれが、第３の支持点シャフトを受けるように機能する２つの隣接する支持点要素を備えることが提供される。上記支持点要素は、駆動レバーを支持点要素間で第３の支持点シャフトに向けて案内することができ、それにより、調整レバーの部分と取付レバーの部分との間で少なくとも部分的に下降できるように互いに離間される。
【００６２】
本発明について、図面を参照して以下にさらに詳細に説明する。
【図面の簡単な説明】
【００６３】
【図１】家具製品１に一体化され、５個のヒンジ３により保持された仕切り要素１１を扉収納部１４内に変位できるようにし、家具製品１の外側壁１２及び中間壁１３により画定される本発明による変位装置２を示す。
【図２】上部レール２７及び下部レール２８に沿って案内されるブラケット２１を有する本発明による変位装置２を示し、ブラケット２１は、一方では、ヒンジ３を介して仕切り要素１１に接続され、他方では、シザー組立体２２に接続され、シザー組立体２２の第１及び第２の支柱２２１、２２２が、上端において係留手段２３又はブラケット２１に固定接続されると共に、下端において、案内装置２４又はブラケット２１のそれぞれ内で案内される。
【図３ａ】ブラケット２１に固定接続することができるシザー組立体支持点６を示し、シザー組立体支持点６により、第２のレール要素２２の上端が調整可能なように保持される。
【図３ｂ】図３ａのシザー組立体支持点６の分解組立図を示す。
【図３ｃ】図３ａの組み立てられたシザー組立体支持点６を示す。
【図４ａ】三次元表現でのブラケット２１の切り欠きセグメントを示す。
【図４ｂ】三次元表現でのブラケット２１の切り欠きセグメントを示す。
【図５】上から見た断面図でのブラケット２１及び第２の支柱２２に接続されたシザー組立体支持点６を示す。
【図６ａ】本発明によるキャリッジ４により保持され、連続レール２７に沿って案内されるブラケット２１であり、ブラケット２１に対してヒンジ３が取り付けられる。
【図６ｂ】開放型キャリッジ筐体４１１を有する図６ａのキャリッジ４を示し、開放型キャリッジ筐体４１１内部で、調整ねじ４６により水平変位可能な調整ウェッジ４５２が、走行車輪４４に結合された保持ウェッジ４７に対して作用する。
【図６ｃ】別の方向から見た、仕切り要素１１が取り付けられた状態の図６ａのキャリッジ４及びブラケット２１を示す。
【図６ｄ】分解組立図での図６ｂのキャリッジ４を示す。
【図７ａ】上から見た、ヒンジ３により仕切り要素１１並びにシザー組立体支持点６及びキャリッジ４に接続されたブラケット２１を部分的に示す。
【図７ｂ】前から見た図７ａの装置を示す。
【図８】取付部３０がブラケット２１に取り付けられた、開位置の本発明によるヒンジ３を示し、取付部３０は、一方では、駆動ばね３５により駆動される駆動レバー３１を介して、他方では、調整レバー３２及び取付レバー３３を介してヒンジカップ３８に接続される。
【図９】第１の支持点本体３０３が第１の支持点シャフト３６１を保持するように機能し、２つの第２の支持点本体３０４が第２の支持点シャフト３６２を保持するように機能する、図８の取付部３０を示す。
【図１０ａ】がブラケット２１に取り付けられた取付部３０、並びに駆動レバー３１により駆動される駆動シャフト３５、調整レバー３２、及び取付レバー３３を有する本発明によるヒンジ３を原理図で示す。
【図１０ｂ】具体的な実施形態での図１０ａの本発明によるヒンジ３を示す。
【図１１ａ】レバー機構が開位置にある図１０ａのヒンジ３を原理図で示す。
【図１１ｂ】レバー機構が遷移位置にある図１０ａのヒンジ３を原理図で示す。
【図１１ｃ】レバー機構が閉位置にある図１０ａのヒンジ３を原理図で示す。
【図１２ａ】開位置の図８の具体的に示されたヒンジ３を示す。
【図１２ｂ】遷移位置の図８の具体的に示されたヒンジ３を示す。
【図１２ｃ】閉位置の図８の具体的に示されたヒンジ３を示す。
【図１３】第１、第２、第３、及び第４の支持点シャフト６３１、６３２、６３３、６３４の挿入を表す接続線を有する、分解組立図での本発明によるヒンジ３を示す。
【図１４ａ】第１の支持点シャフト３６１及び第２の支持点シャフト３６２が挿入された図９の取付部３０を示し、第１の支持点シャフト３６１を通して、駆動バネ３５及び駆動レバー３１が保持され、第２の支持点シャフト３６２を通して、調整レバー３２が保持される。
【図１４ｂ】駆動レバー３１及び調整レバー３２を有する取付部３０を示し、取付部３０の自由要素（free-lying element)において、取付レバー３３を取り付けるために、第３及び第４の支持点シャフト３６３、３６４が挿入される。
【図１４ｃ】ヒンジカップとして形成される取付要素３８が取付レバー３３に接続された状態の完全に組み立てられたヒンジ３を示す。
【図１５ａ】取付要素３８と共に、ガラス扉１１の取付具として形成される取付レバー３３を示す。
【図１５ｂ】本発明による変位装置２により保持されるガラス扉１１を有する家具製品１を示す。
【発明を実施するための形態】
【００６４】
図１は、家具製品１に一体化され、５個のヒンジ３により保持された仕切り要素１１を扉収納部１４内に変位できるようにし、家具製品１の外側壁１２及び中間壁１３により画定される本発明による変位装置２を示す。
【００６５】
図２は、上部レール２７及び下部レール２８に沿って案内されるブラケット２１を有する本発明による変位装置２を示し、ブラケット２１は、一方では、ヒンジ３を介して仕切り要素１１に接続され、他方では、シザー組立体２２により垂直位置において保持される。
【００６６】
シザー組立体２２は、連結ボルト２２３により中間で互いに接続される２つの第１及び第２の支柱２２１、２２２を備える。第１の支柱２２１の上端要素は、側壁１２又は中間壁１３に固定された係留手段２３に旋回可能に接続される。第１の支柱２２１の下縁要素は、例えばブラケット２１内で、案内形材２６により垂直に変位可能なように取り付けられる。第２の支柱２２２の上端要素は、シザー組立体支持点６により旋回可能に保持され、シザー組立体支持点６は、ブラケット２１に沿って変位可能であり、取付ボルトにより任意のポイントに固定可能である。第２の支柱２２２の下端要素は、側壁１２又は中間壁１３に固定された案内装置２４内に変位可能に取り付けられる。原理上、交差した支柱２２１、２２２の下端要素を旋回可能に保持すると共に、それぞれの上端要素を変位可能なように取り付けることも可能である。
【００６７】
図２から、変位装置２を家具製品１、例えばカップボードの壁のみならず、任意の壁、例えば、隙間をなくすため、又は仕切り要素を建物の壁に平行に位置決めするために、建物の壁にも固定可能なこともさらに見て取れる。下部及び上部の連続レール２７、２８は特に、変位装置２が重量のある仕切り要素１１に接続される場合に使用される。軽量の仕切り要素１１の場合、連続レール２７、２８は通常、使用されない。
【００６８】
本発明による変位装置２では、扉収納部１４内に設置される係留手段２３の調整をする必要はもはやない。必要なすべてのセッティングは、図３ａ、図３ｂ、及び図３ｃに示すシザー組立体支持点６で実行することができる。
【００６９】
図３ａは、取付ボルト６４によりブラケット２１で固定してブロックされたシザー組立体支持点６を示す。シザー組立体支持体６により、第２のレール要素２２２の上端は、調整可能なように保持される。
【００７０】
図３ｂに示すように、シザー組立体支持点６は、第１、第２、及び第３の形材部分６１１、６１２、６１３を有する形材本体６１を備え、これら形材部分を通して、少なくともおおよそＵ字形状が形成され、上記Ｕ形状はブラケット２１を少なくとも部分的に囲む。第１の形材部分６１１及び第２の形材部分６１２上に、ブラケット２１と係合できる保持爪６１２１、すなわち保持ストリップ６１２が設けられる。さらに、２つのねじ穴６１２２が第２の形材部分６１２の左側に設けられ、ねじ穴６１２２内で、上記取付ボルト６７をブラケット２１に向けて回して、シザー組立体支持点６の形材本体６１に固定することができる（図３ａ参照）。
【００７１】
第３の形材部分６１３は、取付シャフト６４を受けるように機能する取付開口部６１３１を上側に備え、取付開口部６１３１の対向側に、第３の形材部分６１３は脚要素６１３３を備え、脚要素６１３３内に、案内チャネル６１３３１が設けられる。さらに、第３の形材部分６１３のおおよそ中央領域において、第２の形材部分６１２に垂直に延びるねじ付きチャネル６１３２が設けられ、ねじ付きチャネル６１３２は、調整ボルト６３のねじ軸６３２を受けるように機能する。調整ボルト６３により、取付シャフト６４により旋回可能に保持された調整レバー６２は前後に可動である。このため、ねじ軸６３は、調整レバー６２に面する端部にヘッド６３１を備え、図３ｃに示すように、ヘッドは、調整レバー６２に設けられる収容開口部６２２内に保持される。調整ボルト６３は、調整ボルト６３を回転させ、調整レバー６２を前方に引っ張るか、又は後方に押すために、六角形工具を差し込むことができる工具開口部６３３、例えば、六角形開口部を逆側に備える。工具、例えばスクリュードライバを家具製品１の前側から、恐らくはねじ付きチャネル６１３２の部分を通して工具開口部６３３内に差し込むことができる。したがって、調整レバー６２の設定は、家具製品１の前側から楽に実行することができる。
【００７２】
調整レバー６２は、取付シャフト６４が差し込まれる取付開口部６２２を上側に備える。下側に、調整レバー６２は取付ラグ６２１を備え、取付ラグ６２１を通して、図３ａに示すように第２の支柱２２２の上端要素により担持される支持点ねじ６８が案内される。
【００７３】
調整レバー６２の設定を通して、ブラケット２１の上側は、ブラケット２１の所望の傾斜になるまで、第２の支柱２２２の上端要素に向けて引っ張られるか、又は第２の支
２２２から離れるように押される。ブラケット２１の傾斜の変更により生じる調整レバー６２の取付ラグ６２１の高さ変更により、支持点ねじ６８がロックされないことを保証するために、取付ラグ６２１は、支持点ねじ６８の軸部が内部で移動可能な細長開口部を備える。
【００７４】
調整レバー６２が常に一平面内に保持された状態をもたつように、案内ノーズ６２４が上記調整レバー６２の下側に設けられ、案内ノーズ６２４は、第３の形材部分６１３の脚要素６１３３内の案内チャネル６１３３１に係合する。
【００７５】
案内チャネル６１３３１を、止めボルト６６により脚要素６１３３の端部において閉じることができ、それにより、止めボルトが調整レバー６２のノーズ６２４の外部止めを形成することが、図３ｂ及び図３ｃにさらに示される。
【００７６】
図３ｃは、調整ボルト６３により所望の位置に保持された、挿入された調整レバー６２と一緒になった図３ａ及び図３ｂの組み立てられたシザー組立体支持点６を示す。
【００７７】
図４ａ及び図４ｂは、ブラケット２１の切り欠きセグメントを三次元表現で示し、この切り欠きセグメントは、一方では、ヒンジ３及びシザー組立体支持点６を保持するように機能し、他方では、第１の支柱２２１の下端要素に接続される、上部連続レール２８及び案内形材２６により案内されるキャリッジ４を保持するように機能する。
【００７８】
このために、ブラケット２１は、取付チャネル２１１１を有する第１の取付形材２１１を備え、取付チャネル２１１１は、キャリッジ４のキャリッジ本体４１の下側に形成される案内形材２６及び取付部分４１２を受けるように機能する（例えば、図６ｂ参照）。第１の取付形材２１１は、例えば、Ｃ字形状として形成され、好ましくは、その内部に、第１の取付形材２１１と相補的に形成されたキャリッジ４の取付部分４１２及び案内形材２６を隙間がないように挿入することができる。図６ａ及び図６ｄに示すように、取付部４１２は、ブラケット２１に向けて回される取付ボルト４１２２を挿入できるねじ穴４１２１を備えると共に、好ましくは、キャリッジ４を形状ロックで保持するカップ状グリップ先端を前側に備える。
【００７９】
一体型ブラケット２１の第１の取付形材２１１は第２の取付形材２１２に接続され、第２の取付形材２１２は、ヒンジ３及びシザー組立体支持点６を保持するように機能し、ヒンジ３及びシザー組立体支持体６はこの第２の取付形材２１２に沿って変位可能であり、任意の所望のポイントに固定可能である。このために、第２の取付形材２１２は、取付ストリップ２１２１及び取付溝２１２２を備え、これらは、ヒンジ３の取付要素３０４、３０５；６１１１、６１２２及びシザー組立体支持点６と協働し、取付ボルト３０２、６７により取付要素及びシザー組立体支持点６に対してぴんと張ることができる（図３ｂ及び図１０ａ参照）。
【００８０】
図５は、上から見た断面図でのブラケット２１及び第２の支柱２２２に接続されたシザー組立体支持点６を示す。シザー組立体支持点６の形材本体６１が、ブラケット２１の第２の取付形材２１２と協働し、保持爪６１１１がブラケット２１の取付ストリップ２１２１を囲み、保持ストリップ６１２１がブラケット２１の取付溝２１２２に係合することが見て取れる。さらに、シザー組立体支持点６の形材本体６１がブラケット２１から解放され得ないように、第２の取付形材２１２に対して押されるねじ付きボルト６７が示される。
【００８１】
図５は、案内装置８の案内ローラが下部案内レール２８１の案内チャネル２８１内で案内されることをさらに示す。したがって、ブラケット２１は、シザー組立体２２により第１の平面内において保持され、キャリッジ４及び案内装置８により、第１の平面に垂直な第２の平面において保持される。
【００８２】
図６ａは、本発明によるキャリッジ４により保持され、上部連続レール２７に沿って案内されるブラケット２１を示し、ブラケット２１にヒンジ３が取り付けられる。
【００８３】
図６ｂは、内部に設けられた調整要素４５、４６の図と共に図６ａの開放型キャリッジ４を示す。
【００８４】
図６ｃは、異なる方向から仕切り要素１１が取り付けられた図６ａのキャリッジ４及びブラケット２１を示す。
【００８５】
図６ｄは、図６ｂのキャリッジ４を分解組立図を示す。
【００８６】
キャリッジ４はキャリッジ筐体４１１を有するキャリッジ本体４１を備え、その内部に、調整要素４５が高さ変位可能なように取り付けられる。上記調整要素４５は、垂直向きの保持バー４５１及び保持バー４５１の下側に固定された保持ウェッジ４５２からなる。保持バー４５１の上側に、支持点開口部４５１が設けられ、支持点開口部４５１内に、中央に支持レバー４３を旋回可能に保持する中心軸４３１を差し込むことができる。支持レバー４３は、収容開口部４３２両端のそれぞれに備え、収容開口部４３２内に、走行車輪４４の軸４４１が保持される。したがって、支持レバー４３は、連続レール２７の傾斜に従い、負荷を両走行車輪４４上に均等に分散するロッカ要素として機能する。
【００８７】
保持バー４５１は、キャリッジ本体４１の筐体４１１内で２つの案内支柱４１１４の間に垂直に変位可能に保持され、筐体開口部４１１１を通して外部に突出する。２つの案内支柱４１１４の間に、保持バー４５３が、キャリッジ筐体４１１の蓋４２に配置された支持点ブロック４２１により保持される。筐体蓋４２上に、端部ねじ４２３の収容開口部４２２が設けられ、それにより、上記端部ねじ４２３は、キャリッジ本体４１内のねじ穴４１１３内で回転可能である。したがって、固定後、保持バー４５１は垂直に変位可能に保持される。
【００８８】
さらに、調整ねじ４６がキャリッジ筐体４１１内に提供され、調整ねじ４６は、ねじ頭部４６１を両端に備えると共に、ねじ頭部４６１の間にねじ付きのねじ軸部４６２を備える。２つのねじ頭部４６１は、互いに対向するキャリッジ筐体４１１の両側に設けられる支持点開口部４１１２内に回転可能に保持される。支持点開口部４１１２は同じ高さにあり、したがって、調整ねじ４６は水平に向けられるのと同時に、保持バー４５１の変位方向に垂直に向けられる。
【００８９】
調整ねじ４６のねじ軸部４６２は、調整ウェッジ４７にわたって完全に延びるねじ付きチャネル４７１内にねじ込まれる。それにより、調整ウェッジ４７は保持ウェッジ４５２の上にあり、それにより、保持バー４５１が上方に引かれるとすぐに、水平に対して傾斜して面する２つのウェッジは互いに接触する。調整ねじ４６の回転を通して、調整ウェッジ４７は水平方向に、キャリッジ筐体４１１の片側から他方の側に移動し、それにより、保持ウェッジ４５２は下方に、又は負荷がある場合には上方に変位する。
【００９０】
このようにして、キャリッジ本体４１及び取付部分４１２によりキャリッジ品隊４１に接続されたブラケット２１の高さを正確に設定することができる。調整ねじ４６は、筐体４１１の両側から操作できるため、家具製品１の前側からも操作できる。それにより、高さは、仕切り要素１１の重量が好ましくはキャリッジ４により負担され、同時に仕切り要素１１が、提供された高さに保持されるように設定される。
【００９１】
上述したように高さ調整した本発明によるキャリッジ４は、有利なことには、他の装置と併用することも可能である。それにより、保持バー４５２を旋回可能な支持レバー４３を介して走行車輪に接続することは必須ではない。支持レバーを保持バー４５１に固定接続することもできる。
【００９２】
さらに、走行車輪又は走行ローラは、任意の数で設けることができると共に、キャリッジ本体に直接接続することもでき、その一方で、保持バー４５１は仕切り要素、例えばスライド扉に接続され、随意調整可能な高さにこれを保持することができる。
【００９３】
それにより、保持バーは、所望のように設計することができる。例えば、保持バーは薄いフックとして形成することができ、薄いフックにより、仕切り要素、例えば木製パネル又はガラスパネルの取付具が見つけられる。したがって、例えば、（特許文献５）で説明されているキャリッジと仕切り要素の取付具とのねじ接続を劇的に簡易化することができる。仕切り要素に接続された取付具は、寸法を最小まで低減することができ、もはやねじ等の可動部分を取り付ける必要がない。
【００９４】
それにもかかわらず、当然ながら、保持バーを、好ましくは保持ウェッジに回転可能に接続されたねじとして形成することも可能である。この場合、保持バー又は保持ねじの回転により、大まかな設定を実行することができ、調整ねじにより、細かい設定を実行することができる。この場合、好ましくは、移動止め要素、例えば、ロックねじがキャリッジ本体に設けられ、移動止め要素により、ねじ形保持バーを固定することができる。例えば、垂直に延びる溝が保持バー内に設けられ、その溝内で、ロックねじを回転させて、保持バーを回転しないようにすることができ、溝内で、保持バーは垂直にのみ変位可能である。
【００９５】
図７ａは、上から見たブラケット２１を部分的に示し、ブラケット２１は、ヒンジ３により仕切り要素１１に接続されると共に、シザー組立体支持点６及びキャリッジ４にも接続される。
【００９６】
図７ｂは、例えば、扉収納部１４への挿入中の、前から見た図７ａの装置を示す。キャリッジ４の走行車輪４４が連続レール２７のリッジ上で案内され、それにより、ブラケット２１が高さ及び横に関して定位置に厳密に保持されることが示される。
【００９７】
図８は、取付部分３０がブラケット２１に取り付けられた、開位置の本発明によるヒンジ３を示す。上記取付部分３０は、一方では、駆動バネ３５により駆動される駆動レバー３１を介して、他方では、調整レバー３２及び取付レバー３３を介して、ヒンジカップ３８に接続される。ヒンジ３のすべての取付ねじ３０２及び調整ねじ３１５を前から操作することができることが特に図８からはっきりと見て取れ、これは設置者にとって大きな利点である。
【００９８】
図９は図８の取付部分３０を示し、第１の支持点本体３０３が第１の支持点シャフト３６１を保持するように機能し、２つの第２の支持点本体３０３が第２の支持点シャフト３６２を保持するように機能する、第１の支持点シャフト３６１が、支持体本体３０３の両端に配置される、駆動バネ３５の２つの螺旋バネパッケージ３５３Ａ、３５３Ｂを通して案内されることが見て取れる。駆動バネ３５の端部要素３５１は、取付部分３０内に耐トルク性を有するように係留され、その一方で、２つのバネパッケージ３５３Ａ、３５３Ｂを互いに接続する中央部分３５２は自由であり、第１の支持点シャフト３６１を中心として回転可能である。第１の支持点シャフト３６１を挿入する前、駆動レバー３１の関連する２本脚の端部要素が、駆動バネ３５の中央部分３５２が駆動レバー３１上にあるように、支持点本体３０３上にさらに配置される。したがって、挿入された駆動レバー３１を上方に回転させることにより、中央部分３５２も上方に回転され、駆動バネ３５に張力がかかる。
【００９９】
第２の支持点本体３０４内に差し込まれた第２の支持点シャフト３６２により、調整レバー３２が取り付けられる。第２の支持点本体３０４は、ブラケット２１の取付溝２１２２内のノーズ要素３０４１に係留することができ、その間、取付部分３０に設けられた保持爪３０５が取付部分３０上の取付ストリップ２１２１を囲むことができる。図１０には、取付ボルト３０２が、取付部分３０内のねじ穴３０１を通して案内され、取付形材２１に向けて回転するという点で、続けて取付部分３０及び取付形材２１を相互に固定可能なことが示される。保持爪３０５は続けて、取付ストリップ２１２１に向けて引かれ、それにより、取付溝２１２２内の第２の支持点本体３０４の係合が固定される。
【０１００】
図１０ａは、駆動バネ３５により駆動される駆動レバー３１、調整レバー３２、及び取付レバー３３を原理図でさらに示し、これらレバーは一緒にレバー機構を形成する。調整レバー３２が、第３のレバーシャフト３６３により取付レバー３３に接続されることが見て取れる。取付レバー３３は、取付要素３８又はヒンジカップに接続され、第４のレバーシャフト３６４により駆動レバー３１の第２の端部要素に接続される。駆動レバー３１は、駆動バネ３５により、取付レバー３３及び調整レバー３２に向けて同じ方向に常に押され、力の影響を通して、第２のレバーシャフト３６２と第４のレバーシャフト３６４との距離を低減しようとする。この距離の低減は、第３のレバーシャフト３６３が駆動レバー３１に向けて案内されるか、又は駆動レバー３１から離れるように案内されるという点で行われる。このようにして、駆動レバー３１の力の影響により、ヒンジ３の２つの端部に達する。したがって、保持される仕切り要素１１は、力の影響下で端部に案内され、端部において、仕切り要素１１は家具製品１又は建物の開口部の前に垂直又は平行になる。
【０１０１】
したがって、第２、第３、及び第４のレバーシャフト３６２、３６３、３６４が一平面内にあるその位置から、ヒンジ３は一方向又は逆方向に傾斜することができ、それにより、この移動は、垂直に一定の力で駆動レバー３１により傾斜範囲全体にわたって両方向において支持される。それにより、極めて強力に形成し得る駆動バネ３５が、その力を摩擦損失なしで駆動レバー３１に伝達し、それにより、最適化な効果が引き起こされることに留意されたい。同時に、ヒンジ３の装置の部分が摩擦なしで働くため、摩耗が回避される。
【０１０２】
図１０ａは、第３のレバーシャフト３６３と駆動レバー３１との距離が最小であるため、端部を止めねじ３５により設定できることをさらに示す。例えば、止めねじ３１５は、図１３に示される、調整レバー３１２上に設けられた止め要素３２１に対して作用する。
【０１０３】
図１０ｂは、ヒンジカップ３を有する具体的な実施形態での図１０ａのヒンジ３を断面図で示す。ヒンジカップ３８のサイズを考慮して、ヒンジ３が小さなサイズしか有さず、レバー機構３１、３２、３３が限られたスペースしかとらないことを認識できる。ヒンジ３が端部止めにあり、扉１１が開かれ、止めバネ３１５が第３のレバーシャフト３６３に接触することがさらに示される。それにより、第３のレバーシャフト３６３は、好ましくは、端部止めに達すると、止めねじ３１５により曲げ戻されるように形成される。したがって、扉１１は端部止めに弾性的に受けられ、それにより、ヒンジ３への衝撃の影響が回避される。したがって、ヒンジ３及びヒンジ３に接続された部分は、比較的小さな負荷で露出されるため、ヒンジ３の欠点のない働きが長期に亘って保証される。好ましくは、硬化されたレバーシャフト３６１が過度の延長から保護できるように、止め要素３２１が第２のレバー３２に設けられる。互いに適合された安定したレバー３１、３２、３３を有するヒンジ３のコンパクトな構造により、重量のある扉要素１１を運ぶことがさらに可能になる。
【０１０４】
有利な実施形態では、レバー機構のレバー３１、３２、３３のうちの少なくとも１つは図１０ａに示すような直線に形成されない。それに代えて、好ましくは、最小の変形性及び／又は弾性を有すウルわずかに湾曲したレバー３１、３２、及び／又は３３が使用され、したがって、装置部分の欠陥のない相互作用を保証するために、大きな力に適合することができる。駆動レバー３１をＣ、Ｓ、又はＺ字形に設計することが特に有利である。
【０１０５】
図１１ａ、図１１ｂ、及び図１１ｃは、レバー機構が開位置（図１１ａ）、遷移位置（図１１ｂ）、及び閉位置（図１１ｃ）にある図１０ｂのヒンジ３の原理図を示す。遷移位置から、ヒンジ３は駆動レバー３１のサポートにより、取付レバー３３が家具製品１に垂直な向きを有する図１１ａの位置又は取付レバー３３が家具製品１に水平な向きを有する図１１ｃの位置に傾斜することができる。遷移位置において駆動バネ３５に最も強い張力がかかり、駆動レバー３１が最も遠く後方に回転することに留意されたい。したがって、遷移位置に達するには、両端位置から力を使わなければならない。
【０１０６】
図１２ａ、図１２ｂ、及び図１２ｃは、開位置（図１２ａ）、遷移位置（図１２ｂ）、及び閉位置（図１２ｃ）にある図８の具体的な実施形態でのヒンジ３を示す。駆動レバー３１が遷移位置において最も遠くに方向に回転することが図１２ｂから見て取れる。
【０１０７】
図１３は、個々の装置部分３０、３１、３２、３３、及び３５内の第１、第２、第３、及び第４の支持点シャフト３６１、３６２、３６３、３６４の挿入を示す線を有する、本発明によるヒンジ３を分解組立図で示す。駆動レバー３１の第２の端部要素を除き、レバー３１、３２、及び３３のすべての端部要素がそれぞれ、互いに隔てられた２つの支持点要素を有することが示される。これら支持点要素は関連する支持点シャフト３６２、３６３、３６４を受けるように機能する。それにより、レバー３１、３２、及び３３の端部要素における支持点要素は、関連する支持点シャフト３６１、３６３、３６４に沿って最小の中間領域で互いに、又は支持点本体３０３、３０４と隣り合わせに配置できるように互いに離間される。さらに、レバー３１、３２、及び３３は、互いに係合できるように、又は互いに最小の空間要件で面することができるように形成される。それにより、取付レバー３３は、ヒンジカップ３８により部分的に受けることができ、その部分について、少なくとも支持点要素間で駆動レバー３１を受けることができるように、Ｕ字形状として形成される。
【０１０８】
ヒンジカップ３８に接続するために、取付レバー３３は、歯付きロッドのように形成された接続要素３３１を備え、接続要素３３１は、接続ねじ３８１を通すための開口部３３１２と、側方歯３３１１とを備える。接続ねじ３８１は、ヒンジカップ３８の底部の開口部を通って案内され、ナット３８２内に回転される。ヒンジカップ３８は、接続要素３３１に沿って変位することができ、接続ねじ３８１を締めることにより適したポイントに固定することができる。図１４ｃには、ヒンジカップ３８を変位させるために、スクリュードライバの歯が接続要素３３１の歯３３１１に係合するように、フィリップス型スクリュードライバを下げて工具溝３８５内に差し込めることが示される。それにより、接続ねじ３８１を緩めた後、フィリップス型スクリュードライバを回転させることにより、ヒンジカップ３８を接続要素３３１に沿って変位させることができる。これにより、取付ストリップ２１からのヒンジカップ３８の位置及び距離の特に簡単で正確な調整が可能である。
【０１０９】
図１４ａ、図１４ｂ、及び図１４ｃは、ヒンジ３の要素の組み立てを示す。図９を参照すると、第１及び第２の支持点シャフト３６１、３６２の挿入及び駆動レバー３１、駆動バネ３５、及び調整レバー３２の取付部分３０への接続が説明される。
【０１１０】
図１４ａは、第１の支持点シャフト３６１及び第２の支持点シャフト３６２が挿入された図９の取付部分３０を示し、支持点シャフト３６１を通して、駆動バネ３５及び駆動レバー３１が保持され、第２の支持点シャフト３６２を通して、調整レバー３２が保持される。
【０１１１】
図１４ｂは、駆動レバー３１及び調整レバー３２を有する取付部３０を示し、取付部３０の自由要素（free-lying element)において、取付レバー３３を取り付けるために、第３及び第４の支持点シャフト３６３、３６４が挿入される。
【０１１２】
図１４ｃは、取付レバー３３に配置されたヒンジカップ３８と相補的に組み立てられたヒンジ３を示す。
【０１１３】
図１５ａは、ガラス扉１１の取付具として形成される取付要素３８を有する取付レバー３３を示す。
【０１１４】
図１５ｂは、ガラス扉１１を有する家具製品１を示し、ガラス扉１１に扉ストリップ１１０が固定され、扉ストリップ１１０は、受け溝内に保持される取付要素３８を両側で囲む。
【０１１５】
変位装置２及びヒンジ３は図１２ｃに示す位置にあり、外側壁１５が示される家具製品１が、仕切り要素１１で終わる。上述したように、本発明は有利なことに、家具業界内で使用可能である。しかし、本発明による解決策は、エリアを閉じるため、又はエリアを区切るために建物内にも有利に使用可能である。
【０１１６】
したがって、本発明による変位装置２は、様々な方法で任意の所望の仕切り要素１１に接続することができる。仕切り要素は、ガラス、金属、木、又はプラスチック等の任意の所望の材料から製造することができる。
【符号の説明】
【０１１７】
１  家具製品、カップボード
１１  仕切り要素、例えば、木製扉又はガラス扉
１１０  扉ストリップ
１２  側壁
１３  中間壁
１４  扉収納部
１５  側壁
２  変位装置
２１  取付ブラケット、ストラット
２１１  ブラケット２１の第１の取付形材
２１１１  第１の取付形材２１１内の取付チャネル
２１２  ブラケット２１の第２の取付形材
２１２１  第２の取付形材２１２上の取付ストリップ
２１２２  第２の取付形材２１２上の取付溝
２２  シザー組立体
２２１  第１の支柱
２２２  第２の支柱
２２３  シザージョイント
２３  係留手段
２４  案内装置
２６  案内形材
２７  上部案内レール
２８  下部案内レール
２８１  下部案内レール２８内の案内チャネル
３  ヒンジ
３０  ヒンジ３の取付部分
３０１  取付部分３０内のねじ穴
３０２  ねじ穴３０１の取付ボルト
３０３  第１のレバーシャフト３６１の第１の支持点本体
３０４  ブラケット２１に接続するための第２のレバーシャフト３６２の第２の支持点本体
３０４１  支持体本体３０４上のノーズ
３０５  ブラケット２１に接続するための保持爪
３１  駆動レバー
３１５  レバー距離を設定するための止めねじ
３２  調整レバー
３２１  調整レバー３２上の止め要素
３３  取付レバー
３３１  接続要素、歯付きロッド
３３１１  歯
３３１２  接続爪３８１を受けるための開口部
３５  駆動バネ、二重螺旋バネ
３６１  第１のレバーシャフト
３６２  第２のレバーシャフト
３６３  それぞれバネ弾性及び硬化された第３のレバーシャフト
３６４  第４のレバーシャフト
３８  取付レバー３３上の取付要素、恐らくはヒンジカップ
３８１  接続ねじ
３８２  接続ナット
３８５  工具溝
４  キャリッジ
４１  キャリッジ本体
４１１  キャリッジ本体４１の筐体
４１１１  筐体４１１内のコンセント開口部
４１１２  支持点開口部
４１１３  端部ねじ４２３のねじ穴
４１１４  キャリッジ状態４１１内の案内支柱
４１２  キャリッジ筐体４１上の取付部
４１２１  取付ねじ４１２２のねじ穴
４１２２  取付ねじ
４２  筐体蓋
４２１  筐体蓋４３上の支持点ブロック
４２２  端部ねじ４２３の収容開口部
４２３  端部ねじ
４３  支持レバー
４３１  支持レバー４３の中心軸
４３２  車輪軸４４１の収容開口部
４４  走行車輪
４４１  車輪軸
４５  調整要素
４５１  調整要素の保持バー
４５２  調整要素の保持ウェッジ
４５３  中心軸４３１を受ける支持点開口部
４６  調整ねじ
４６１  調整ねじ４６のねじ頭部
４６２  調整ねじ４６のねじ軸部
４７  調整ウェッジ
４７１  調整ウェッジのねじ付きチャネル
６  シザー組立点支持点
６１  シザー組立体支持点６の形材本体
６１１  形材本体６１の第１の形材部分
６１１１  第１の形材部分６１１の保持爪
６１２  形材本体６１の第２の形材部分
６１２１  第２の形材部分６１２上の保持ストリップ
６１２２  第２の形材部分６１２内のねじ穴
６１３  形材本体６１の第３の形材部分
６１３１  第３の形材部分内の取付開口部
６１３２  調整ボルト６３を受けるねじ付きチャネル
６１３３  第３の形材部分の脚要素
６１３３１  脚要素６１３３内の案内チャネル
６２  調整レバー
６２１  調整レバー６２上の取付ラグ
６２２  調整レバー６２の収容開口部
６２３  調整レバー６２上の取付開口部
６２４  調整レバー６２上の案内ノーズ
６３  調整ボルト
６３１  調整ボルト６３の頭部
６３２  調整ボルト６３のねじ軸部
６３３  ねじ軸部６３２内の工具開口部
６４  取付シャフト
６６  止めボルト
６７  固定ねじ
６８  第２の支柱を保持する支持点ねじ
８  案内装置
【図１】
2010261301.tif 000003
【図２】
2010261301.tif 000004
【図３ａ】
2010261301.tif 000005
【図３ｂ】
2010261301.tif 000006
【図３ｃ】
2010261301.tif 000007
【図４ａ】
2010261301.tif 000008
【図４ｂ】
2010261301.tif 000009
【図５】
2010261301.tif 000010
【図６ａ】
2010261301.tif 000011
【図６ｂ】
2010261301.tif 000012
【図６ｃ】
2010261301.tif 000013
【図６ｄ】
2010261301.tif 000014
【図７ａ】
2010261301.tif 000015
【図７ｂ】
2010261301.tif 000016
【図８】
2010261301.tif 000017
【図９】
2010261301.tif 000018
【図１０ａ】
2010261301.tif 000019
【図１０ｂ】
2010261301.tif 000020
【図１１ａ】
2010261301.tif 000021
【図１１ｂ】
2010261301.tif 000022
【図１１ｃ】
2010261301.tif 000023
【図１２ａ】
2010261301.tif 000024
【図１２ｂ】
2010261301.tif 000025
【図１２ｃ】
2010261301.tif 000026
【図１３】
2010261301.tif 000027
【図１４ａ】
2010261301.tif 000028
【図１４ｂ】
2010261301.tif 000029
【図１４ｃ】
2010261301.tif 000030
【図１５ａ】
2010261301.tif 000031
【図１５ｂ】
2010261301.tif 000032